(57)【要約】【課題】  複数の通信ケーブルを電気的に接続する場合に、接続部の接続状態を外部から目視により確認できるコネクタを提供する。【解決手段】  絶縁材から形成されるボディ２と、ボディ２に設けられる、一方の通信ケーブル１０ａのプラグ１２の端子１４と電気的に接続可能な第１端子３、第１端子３と電気的に接続されるとともに、他方の通信ケーブル１０ｂのプラグ１２の端子１４と電気的に接続可能な第２端子４、一方の通信ケーブル１０ａのプラグ１２及び他方の通信ケーブル１０ｂのプラグ１２をボディ２に固定する固定手段７とを備える。ボディ２は、少なくとも一方の通信ケーブル１０ａのプラグ１２の端子１４と第１端子３との接続部、及び他方の通信ケーブル１０ｂのプラグ１２の端子１４と第２端子４との接続部に対応する部分が、外部から接続部を透視可能な素材で形成されている。【選択図】図３
2010049939.tif 000002
【特許請求の範囲】
【請求項１】
２本の通信ケーブルのプラグ同士を電気的に接続するためのコネクタであって、
絶縁材から形成されるボディと、
該ボディに設けられて、一方の通信ケーブルのプラグの端子と電気的に接続可能な第１端子と、該ボディに設けられて、前記第１端子と電気的に接続されるとともに、他方の通信ケーブルのプラグの端子と電気的に接続可能な第２端子と、
前記ボディに設けられて、前記２本の通信ケーブルのプラグを前記ボディに固定する固定手段とを備え、
前記ボディは、少なくとも前記一方の通信ケーブルのプラグの端子と前記第１端子との接続部、及び前記他方の通信ケーブルのプラグの端子と前記第２端子との接続部に対応する部分が、外部から前記接続部を透視可能な素材で形成されていることを特徴とするコネクタ。
【請求項２】
前記固定手段は、前記一方の通信ケーブルのプラグを内側に挟んだ状態で前記ボディに固定する一対の第１固定板、及び前記他方の通信ケーブルのプラグを内側に挟んだ状態で前記ボディに固定する一対の第２固定板を備えていることを特徴とする請求項１に記載のコネクタ。
【請求項３】
前記各第１固定板及び前記各第２固定板の端部には、前記一方の通信ケーブルのプラグの端部及び前記他方の通信ケーブルのプラグの端部に係止させる係止爪がそれぞれ設けられていることを特徴とする請求項２に記載のコネクタ。
【請求項４】
前記各第１固定板及び前記各第２固定板は、前記一方の通信ケーブルのプラグ及び前記他方の通信ケーブルのプラグを内側に嵌合させ得る長さに形成されていることを特徴とする請求項３に記載のコネクタ。
【請求項５】
前記一方の通信ケーブルのプラグの端部及び前記他方の通信ケーブルのプラグの端部には、前記各第１固定板の各係止爪、及び前記各第２固定板の各係止爪を係止させる係止溝が設けられていることを特徴とする請求項３又は４に記載のコネクタ。
【発明の詳細な説明】
【技術分野】
【０００１】
本発明は、２本の通信ケーブルのプラグ同士を電気的に接続するためのコネクタに関する。
【背景技術】
【０００２】
従来、地震等によって通信機器間を接続する通信回線に障害が発生し、復旧が長期化することが見込まれるような場合、Ｕコードと称される通信ケーブルを用いて臨時のバイパス通信回線を構成し、通信機能を確保することが行われている。
【０００３】
このようなバイパス通信回線に用いられる通信ケーブルは、ケーブル本体の両端に接続用のプラグを取り付けて構成したものであって、通信機器の配電盤に設けられているレセプタクルにプラグを電気的に接続することにより、臨時のバイパス通信回線網を構成することができるものである。
【０００４】
また、上記のような通信ケーブルは、複数の通信機器のうち一部が故障した場合に、配電盤を介して臨時のバイパス通信回線を構成するときにも用いられ、これにより、点検等のメンテナンスを行うことができる。
【０００５】
上記のような通信ケーブルで臨時のバイパス通信回線を構成する場合、１本の通信ケーブルでは長さが足りないような場合には、例えば、特許文献１に記載されているようなコネクタを用い、このコネクタによって複数の通信ケーブルを電気的に接続して所望の長さのバイパス通信回線を構成している。
【０００６】
しかし、上記のような構成のコネクタによって複数の通信ケーブルを電気的に接続した場合、接続部の接続状態をコネクタの外部から目視により確認することができないため、テスター等の検査器具を用いて確認しなければならず、その作業に非常に手間がかかる。
【特許文献１】特開２００６−５９５３９号公報
【発明の開示】
【発明が解決しようとする課題】
【０００７】
本発明は、上記のような従来の問題に鑑みなされたものであって、複数の通信ケーブルを電気的に接続して所望の長さのバイパス通信回線を構成する場合に、通信ケーブルの接続部の接続状態を容易に確認することができるコネクタを提供することを目的とする。
【課題を解決するための手段】
【０００８】
上記のような課題を解決するために、本発明は、以下のような手段を採用している。
【０００９】
すなわち、本発明は、２本の通信ケーブルのプラグ同士を電気的に接続するためのコネクタであって、絶縁材から形成されるボディと、該ボディに設けられて、一方の通信ケーブルのプラグの端子と電気的に接続可能な第１端子と、該ボディに設けられて、前記第１端子と電気的に接続されるとともに、他方の通信ケーブルのプラグの端子と電気的に接続可能な第２端子と、前記ボディに設けられて、前記２本の通信ケーブルのプラグを前記ボディに固定する固定手段とを備え、前記ボディは、少なくとも前記一方の通信ケーブルのプラグの端子と前記第１端子との接続部、及び前記他方の通信ケーブルのプラグの端子と前記第２端子との接続部に対応する部分が、外部から前記接続部を透視可能な素材で形成されていることを特徴とする。
【００１０】
本発明のコネクタによれば、一方の通信ケーブルのプラグの端子をボディの第１端子に接続し、他方の通信ケーブルのプラグの端子をボディの第２端子に接続することにより、一方の通信ケーブルのプラグと他方の通信ケーブルのプラグとが第１端子及び第２端子を介して電気的に接続される。
【００１１】
この場合、ボディの少なくとも一方の通信ケーブルのプラグの端子と第１端子との接続部、及び他方の通信ケーブルのプラグの端子と第２端子との接続部に対応する部分は、それらの接続部を外部から透視可能な素材で形成されているので、それらの接続部の接続状態をボディの外部から目視できることになる。
【００１２】
従って、一方の通信ケーブルと他方の通信ケーブルとを電気的に接続する場合に、両通信ケーブルの接続状態をテスター等の検査器具によって確認することなく、両通信ケーブルの接続を容易に行うことができる。
【００１３】
また、本発明は、前記固定手段は、前記一方の通信ケーブルのプラグを内側に挟んだ状態で前記ボディに固定する一対の第１固定板、及び前記他方の通信ケーブルのプラグを内側に挟んだ状態で前記ボディに固定する一対の第２固定板を備えていることを特徴とすることとしてもよい。
【００１４】
本発明のコネクタによれば、一方の通信ケーブルのプラグの端子を第１端子に接続し、他方の通信ケーブルのプラグの端子を第２端子に接続し、この状態で、固定手段の一対の第１固定板により一方の通信ケーブルのプラグがボディに固定され、固定手段の一対の第２固定板により他方の通信ケーブルのプラグがボディに固定されることになる。
【００１５】
さらに、本発明は、前記各第１固定板及び前記各第２固定板の端部には、前記一方の通信ケーブルのプラグの端部及び前記他方の通信ケーブルのプラグの端部に係止させる係止爪がそれぞれ設けられていることを特徴とすることとしてもよい。
【００１６】
本発明のコネクタによれば、一方の通信ケーブルのプラグは、固定手段の一対の第１固定板によりボディに固定され、他方の通信ケーブルのプラグは、固定手段の一対の第２固定板によりボディに固定され、この状態で各第１固定板の端部の各係止爪が一方の通信ケーブルのプラグの端部に係止され、各第２固定板の端部の各係止爪が他方の通信ケーブルのプラグの端部に係止されることになる。
【００１７】
さらに、本発明は、前記各第１固定板及び前記各第２固定板は、前記一方の通信ケーブルのプラグ及び前記他方の通信ケーブルのプラグを内側に嵌合させ得る長さに形成されていることを特徴とすることとしてもよい。
【００１８】
本発明のコネクタによれば、一対の第１固定板の内側に一方の通信ケーブルのプラグを嵌合させ、一対の第２固定板の内側に他方の通信ケーブルのプラグを嵌合させることにより、一方の通信ケーブルのプラグ及び他方の通信ケーブルのプラグがボディに固定されることになる。
【００１９】
さらに、本発明は、前記一方の通信ケーブルのプラグの端部及び前記他方の通信ケーブルのプラグの端部には、前記各第１固定板の各係止爪、及び前記各第２固定板の各係止爪を係止させる係止溝が設けられていることを特徴とすることとしてもよい。
【００２０】
本発明のコネクタによれば、各第１固定板の各係止爪を一方の通信ケーブルのプラグの端部の係止溝に係止させ、各第２固定板の各係止爪を他方の通信ケーブルのプラグの端部の係止溝に係止させることにより、一対の第１固定板の内側に一方の通信ケーブルのプラグが嵌合された状態に固定され、一対の第２固定板の内側に他方の通信ケーブルのプラグが嵌合された状態に固定されることになる。
【発明の効果】
【００２１】
以上、説明したように、本発明のコネクタによれば、一方の通信ケーブルのプラグの端子をボディの第１端子に接続し、他方の通信ケーブルのプラグの端子をボディの第２端子に接続することにより、一方の通信ケーブルのプラグと他方の通信ケーブルのプラグとが第１端子及び第２端子を介して電気的に接続される。
【００２２】
この場合、ボディの少なくとも一方の通信ケーブルのプラグの端子と第１端子との接続部、及び他方の通信ケーブルのプラグの端子と第２端子との接続部に対応する部分は、それらの接続部を外部から透視可能な素材で形成されているので、それらの接続部の接続状態をボディの外部から目視できることになる。
【００２３】
従って、一方の通信ケーブルと他方の通信ケーブルとを電気的に接続する場合に、両通信ケーブルの接続状態をテスター等の検査器具を用いて確認する必要はなく、両通信ケーブルの接続を容易に行うことができる。
【００２４】
また、一方の通信ケーブルのプラグの端子を第１端子に接続し、他方の通信ケーブルのプラグの端子を第２端子に接続した状態で、固定手段の一対の第１固定板により一方の通信ケーブルのプラグがボディに固定され、固定手段の一対の第２固定板により他方の通信ケーブルのプラグがボディに固定されることになるので、一方の通信ケーブルと他方の通信ケーブルとを電気的に接続した状態に固定することができ、通信ケーブルの使用の際に接続不良が生じるのを防止できる。
【００２５】
さらに、一方の通信ケーブルのプラグは、固定手段の一対の第１固定板によりボディに固定され、他方の通信ケーブルのプラグは、固定手段の一対の第２固定板によりボディに固定された状態で、各第１固定板の端部の各係止爪が一方の通信ケーブルのプラグの端部に係止され、各第２固定板の端部の各係止爪が他方の通信ケーブルのプラグの端部に係止されることになるので、一方の通信ケーブルと他方の通信ケーブルとを電気的に接続した状態に更に効果的に固定することができ、通信ケーブルの使用の際に接続不良が生じるのを防止できる。
【００２６】
さらに、一対の第１固定板の内側に一方の通信ケーブルのプラグが嵌合され、一対の第２固定板の内側に他方の通信ケーブルのプラグが嵌合されることになるので、一方の通信ケーブルのプラグ及び他方の通信ケーブルのプラグをボディに更に効果的に固定することができる。
【００２７】
さらに、各第１固定板の各係止爪を一方の通信ケーブルのプラグの端部の係止溝に係止させ、各第２固定板の各係止爪を他方の通信ケーブルのプラグの端部の係止溝に係止させることにより、一対の第１固定板の内側に一方の通信ケーブルのプラグが嵌合された状態に固定され、一対の第２固定板の内側に他方の通信ケーブルのプラグが嵌合された状態に固定されることになるので、一方の通信ケーブルのプラグ及び他方の通信ケーブルのプラグをボディに更に効果的に固定することができる。
【発明を実施するための最良の形態】
【００２８】
以下、図面を参照しながら本発明の実施の形態について説明する。
【００２９】
図１〜図４には、本発明によるコネクタの一実施の形態が示されている。図１はコネクタの平面図であって、２本の通信ケーブルの接続前の状態を示す説明図、図２は図１の正面図、図３はコネクタの平面図であって、２本の通信ケーブルの接続後の状態を示す説明図、図４は図３の正面図である。
【００３０】
すなわち、本実施の形態のコネクタ１は、例えば、地震等によって通信機器間を接続する通信回線に障害が発生し、復旧が長期化することが見込まれるような場合、Ｕコードと称される通信ケーブル１０を用いて臨時のバイパス通信回線を構成して通信機能を確保する際に、複数の通信ケーブル１０を互いに繋ぎ合わせて所望の長さのバイパス通信回線を構成するのに有効なものである。
【００３１】
通信ケーブル１０は、図１〜図４に示すように、複数の通信線の周囲を絶縁材で被覆して構成したケーブル本体１１と、ケーブル本体１１の両端に取り付けられる接続用のプラグ１２とを備えたものであって、複数の通信ケーブル１０のプラグ１２同士を本実施の形態のコネクタ１を介して互いに接続することにより、所望の長さのバイパス通信回線を構成することができるものである。
【００３２】
なお、本実施の形態においては、Ｕコードと称される通信ケーブル１０の接続に本発明のコネクタ１を適用しているが、このタイプの通信ケーブル１０に限らず、各種の通信ケーブルの接続に本発明のコネクタ１を適用してもよい。
【００３３】
プラグ１２は、絶縁材から形成される略四角柱状のプラグボディ１３と、プラグボディ１３に設けられるとともに、先端部がプラグボディ１３から外方に突出する導電材から形成される一対の板状の雄端子１４、１４とを備え、この雄端子１４、１４に本実施の形態のコネクタ１が電気的に接続される。
【００３４】
なお、本実施の形態では、２極タイプのプラグ１２（一対の雄端子１４、１４を備えたプラグ１２）に本実施の形態のコネクタ１を適用しているが、プラグ１２の極数に制限はなく、１極又は３極以上のプラグに本発明のコネクタを適用してもよい。
【００３５】
本実施の形態のコネクタ１は、図１〜図４に示すように、絶縁材から形成されるボディ２と、ボディ２に設けられる導電材から形成される第１雌端子３と、ボディ２に設けられる導電材から形成される第２雌端子４と、ボディ２に設けられる固定手段７とを備えている。
【００３６】
ボディ２０は、略四角柱状をなすものであって、内部に一対の第１雌端子３、３及び一対の第２雌端子４、４が設けられ、この一対の第１雌端子３、３にボディ２の長手方向の一端側から一方の通信ケーブル１０ａのプラグ１２の一対の雄端子１４、１４が電気的に接続され、一対の第２雌端子４、４にボディ２の長手方向の他端側から他方の通信ケーブル１０ｂのプラグ１２の一対の雄端子１４、１４が電気的に接続される。
【００３７】
ボディ２は、一方の通信ケーブル１０ａのプラグ１２の雄端子１４、１４と第１雌端子３、３との接続部、及び他方の通信ケーブル１０ｂのプラグ１２の雄端子１４、１４と第２雌端子４、４との接続部を外部から透視可能な素材（例えば、半透明又は透明の合成樹脂等）から形成され、これらの接続部の接続状態を外部から目視によって確認できるようになっている。
【００３８】
なお、本実施の形態においては、ボディ２の全体を外部から各接続部を透視可能な素材で形成しているが、ボディ２の各接続部に対応する部分のみを外部から透視可能な素材で形成するようにしてもよい。
【００３９】
各第１雌端子３は、一方の通信ケーブル１０ａのプラグ１２の各雄端子１４を嵌合させ得る形状に形成され、各第２雌端子４は、他方の通信ケーブル１０ｂのプラグ１２の各雄端子１４を嵌合させ得る形状に形成されている。
【００４０】
ボディ２の長手方向の一端面及び他端面には一対の開口がそれぞれ設けられ、各開口内に各第１雌端子３及び各第２雌端子４の端部が開口し、ボディ２の長手方向の一端側から各開口を介して一方の通信ケーブル１０ａのプラグ１２の各雄端子１４が各第１雌端子３に電気的に接続され、ボディ２の長手方向の他端側から各開口を介して他方の通信ケーブル１０ｂのプラグ１２の各雄端子１４が各第２雌端子４に電気的に接続されるようになっている。
【００４１】
各第１雌端子３と各第２雌端子４とは、ボディ２の内部に設けられている導電材からなる略コ形状の接続端子５によって電気的に接続され、これにより、一方の通信ケーブル１０ａのプラグ１２の各雄端子１４と他方の通信ケーブル１０ｂのプラグ１２の雄端子１４とが、各第１雌端子３、各接続端子５、及び各第２雌端子４を介して電気的に接続される。なお、図中符号６で示す部材は、各第１雌端子３と接続端子５、及び各第２雌端子４と接続端子５とを、電気的に一体に連結するねじである。
【００４２】
固定手段７は、ボディ２の長手方向の一端及び他端にそれぞれ一体に設けられる一対の板状の固定板８、８から構成されている。この場合、一対の固定板８、８は、ボディ２の両側面と面一となるように、ボディ２の長手方向の一端及び他端に一体に設けられ、各一対の固定板８、８間で一方の通信ケーブル１０ａのプラグ１２のプラグボディ１３、及び他方の通信ケーブル１０ｂのプラグ１２のプラグボディ１３がそれぞれ挟持されるようになっている。
【００４３】
各一対の固定板８、８の各固定板８の長手方向の一端には、相手方固定板８の方向（内方）に略９０°に屈曲した各固定板８と同一幅の係止爪９が一体に設けられ、各一対の固定板８、８間で一方の通信ケーブル１０ａのプラグ１２のプラグボディ１３、及び他方の通信ケーブル１０ｂのプラグ１２のプラグボディ１３を挟持した状態で、各固定板８の各係止爪９を各プラグボディ１３の端面に係止させるようになっている。
【００４４】
この場合、各固定板８の内面側の寸法（ボディ２の長手方向の端面から各係止爪９までの距離）は、各一対の固定板８、８間で一方の通信ケーブル１０ａのプラグ１２のプラグボディ１３及び他方の通信ケーブル１０ｂのプラグ１２のプラグボディ１３を挟持した際に、各固定板８の内面側に各プラグボディ１３の両側部を強く嵌合させ得る長さに形成されている。これにより、各一対の固定板８、８間から一方の通信ケーブル１０ａのプラグ１２のプラグボディ１３及び他方の通信ケーブル１０ｂのプラグ１２のプラグボディ１３が外れるのを防止できる。
【００４５】
また、一方の通信ケーブル１０ａ及び他方の通信ケーブル１０ｂのプラグ１２のプラグボディ１３の長手方向の一端面及び他端面にはそれぞれ係止溝１５が設けられ、各係止溝１５内に各固定板８の端部の係止爪９を係止させることにより、各一対の固定板８、８間から各プラグ１２のプラグボディ１３が外れるのを防止することができる。
【００４６】
次に、上記のように構成した本実施の形態によるコネクタ１の作用について説明する。
【００４７】
地震等によって通信機器間を接続する通信回線に障害が発生した場合、例えば、Ｕコードと称される通信ケーブル１０を用いて臨時のバイパス通信回線を構成する。この際に、本実施の形態のコネクタ１を用い、複数の通信ケーブル１０を互いに繋ぎ合わせて所望の長さのバイパス通信回線を構成する。
【００４８】
具体的には、まず、図１及び図２に示すように、２本の通信ケーブル１０ａ、１０ｂのプラグ１２、１２間に本実施の形態のコネクタ１を配置し、固定手段７の各一対の固定板８、８間を外側に押し広げ、この状態で、図３及び図４に示すように、一方の通信ケーブル１０ａのプラグ１２の各雄端子１４をコネクタ１のボディ２の一端面の各開口を介して各第１雌端子３に接続し、他方の通信ケーブル１０ｂのプラグ１２の各雄端子１４をコネクタ１のボディ２の他端面の各開口を介して各第２雌端子４に接続する。
【００４９】
次に、固定手段７の各一対の固定板８、８を元の状態に戻し、各一対の固定板８、８間に一方の通信ケーブル１０ａのプラグ１２のプラグボディ１３及び他方の通信ケーブル１０ｂのプラグ１２のプラグボディ１３を位置し、各一対の固定板８、８の各固定板８の端部の係止爪９をコネクタ１のボディ２の長手方向の一端面及び他端面の係止溝１５にそれぞれ係止させ、各一対の固定板８、８間で一方の通信ケーブル１０ａのプラグ１２のプラグボディ１３及び他方の通信ケーブル１０ｂのプラグ１２のプラグボディ１３を挟持する。
【００５０】
このようにして、２本の通信ケーブル１０ａ、１０ｂが本実施の形態のコネクタ１を介して電気的に接続され、このような作業を複数の通信ケーブル１０に対して繰り返し行うことにより、所望の長さのバイパス通信回線を構成することができる。
【００５１】
上記のように構成した本実施の形態によるコネクタ１にあっては、ボディ２を半透明又は透明の素材で形成したので、２本の通信ケーブル１０ａ、１０ｂを電気的に互いに接続する場合に、一方の通信ケーブ１０ａルのプラグ１２の雄端子１４と１雌端子３との接続部、及び他方の通信ケーブル１０ｂのプラグ１２の雄端子１４と第２雌端子４との接続部をボディ２の外部から透視することができ、それらの接続部の接続状態をボディ２の外部から目視により確認することができる。
【００５２】
従って、２本の通信ケーブル１０ａ、１０ｂを電気的に接続する場合に、接続状態をテスター等の検査器具を用いて検査する必要はなく、２本の通信ケーブル１０ａ、１０ｂを電気的に接続する際の接続作業を容易に短時間で行うことができる。
【００５３】
なお、本実施の形態においては、本発明を通信ケーブル１０側のプラグ１２に雄端子１４が設けられ、コネクタ１側に第１雌端子３及び第２雌端子４が設けられた場合に適用したが、通信ケーブル１０側のプラグ１２に雌端子が設けられ、この雌端子と電気的に接続可能な雄端子がコネクタ１側に設けられた場合に本発明を適用してもよいものであり、その場合にも同様の作用効果を奏する。
【図面の簡単な説明】
【００５４】
【図１】本発明による一実施の形態のコネクタの全体を示した平面図であって、接続前の状態を示した説明図である。
【図２】図１の正面図である。
【図３】本発明による一実施の形態のコネクタの全体を示した平面図であって、接続後の状態を示した説明図である。
【図４】図３の正面図である。
【符号の説明】
【００５５】
１  コネクタ
２  ボディ
３  第１端子（第１雌端子）
４  第２端子（第２雌端子）
５  接続端子
６  ねじ
７  固定手段
８  固定板
９  係止爪
１０  通信ケーブル
１０ａ  一方の通信ケーブル
１０ｂ  他方の通信ケーブル
１１  ケーブル本体
１２  プラグ
１３  プラグボディ
１４  端子（雄端子）
１５  係止溝
【図１】
2010049939.tif 000003
【図２】
2010049939.tif 000004
【図３】
2010049939.tif 000005
【図４】
2010049939.tif 000006